【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
クライアント計算装置が、第１のユーザに表示された構造化ドキュメントに埋め込まれた１以上のオブジェクトまたは前記オブジェクトに対する参照を特定する工程であって、前記構造化ドキュメントはウェブページとして表示されるマークアップ言語ドキュメントであり、前記オブジェクトはソーシャル・ネットワーキング・システムの外部の１以上のソースから生じている、工程と；
前記第１のユーザとの関連付けを有する１人以上の第２のユーザが特定された前記オブジェクトのいずれかにアクセスしたかまたはアクセスしているかを判定するために、および、
前記ソーシャル・ネットワーキング・システムから、前記第２のユーザのうちの１人以上によって前記ソーシャル・ネットワーキング・システムに提供されるソーシャルネットワークプロフィール情報を含む１以上のソーシャル・ネットワーク・データ要素を取得するために、前記クライアント計算装置が、前記ソーシャル・ネットワーキング・システムのソーシャルグラフにアクセスする工程と；
クライアント計算装置が、前記オブジェクトのうちの少なくとも１つについて、前記構造化ドキュメントに埋め込まれ、かつ、前記ソーシャル・ネットワーキング・システムの外部の１以上のソースから生じているオブジェクトが第２のユーザのうちの１人以上によってアクセスされたかまたはアクセスされているかを示すために、前記第１のユーザにウェブページとして表示された前記構造化ドキュメントを改変する工程とを含み、前記構造化ドキュメントを改変する工程は、前記ソーシャル・ネットワーク・データ要素のうちの１以上を、前記オブジェクトの付近に表示することを含む、方法。
【請求項２】
前記第２のユーザが特定された前記オブジェクトのいずれかにアクセスしたかまたはアクセスしているかを判定するために前記ソーシャルグラフにアクセスする工程は、ソーシャル・ネットワーキング・システムの前記第１のユーザの１組のユーザ設定で条件付けられる、
請求項１に記載の方法。
【請求項３】
前記構造化ドキュメントを改変する工程は、前記オブジェクトのうちの１以上を強調すること、色付けすること、あるいは太字にすることのうちの１以上を含む、
請求項１に記載の方法。
【請求項４】
前記方法はさらに、
前記構造化ドキュメント内の前記オブジェクトおよび参照のうちの１以上との前記第１のユーザによる、検出された１以上のインタラクションに応答して、前記オブジェクトまたは参照から前記第１のユーザへの１以上のエッジ関係を表すデータを生成する工程と；
前記エッジ関係を表すデータを前記ソーシャル・ネットワーキング・システムに送信する工程と
を含む、
請求項１に記載の方法。
【請求項５】
前記オブジェクトの付近に表示された前記ソーシャル・ネットワーク・データ要素のうちの１以上は、特定された前記オブジェクトのうちの１以上から前記第２のユーザのうちの１以上へのエッジ関係を表すデータを含む、
請求項１に記載の方法。
【請求項６】
前記構造化ドキュメントを改変する工程は、前記クライアント計算装置において実行されているウェブブラウザによって、前記構造化ドキュメントの表現を改変することを含む、
請求項１に記載の方法。
【請求項７】
前記ソーシャル・ネットワーキング・システムから、１組以上の総インタラクション統計を取得するために、前記クライアント計算装置が、前記ソーシャル・ネットワーキング・システムのソーシャルグラフにアクセスする工程と、
前記クライアント計算装置が、前記総インタラクション統計のうちの１組以上を前記オブジェクトの付近に表示する工程と、をさらに含む、
請求項１に記載の方法。
【請求項８】
１以上のプロセッサと；
前記プロセッサに結合され、かつ、前記プロセッサによって実行可能な命令を備えるメモリと；
を備えるシステムであって、
前記命令が実行されるとき前記プロセッサは、
クライアント計算装置が、第１のユーザに表示された構造化ドキュメントに埋め込まれた１以上のオブジェクトまたは前記オブジェクトに対する参照を特定する工程であって、前記構造化ドキュメントはウェブページとして表示されるマークアップ言語ドキュメントであり、前記オブジェクトはソーシャル・ネットワーキング・システムの外部の１以上のソースから生じている、工程と；
前記第１のユーザとの関連付けを有する１人以上の第２のユーザが特定された前記オブジェクトのいずれかにアクセスしたかまたはアクセスしているかを判定するために、および、
前記ソーシャル・ネットワーキング・システムから、前記第２のユーザのうちの１人以上によって前記ソーシャル・ネットワーキング・システムに提供されるソーシャルネットワークプロフィール情報を含む１以上のソーシャル・ネットワーク・データ要素を取得するために、前記クライアント計算装置が、前記ソーシャル・ネットワーキング・システムのソーシャルグラフにアクセスする工程と；
クライアント計算装置が、前記オブジェクトのうちの少なくとも１つについて、前記構造化ドキュメントに埋め込まれ、かつ、前記ソーシャル・ネットワーキング・システムの外部の１以上のソースから生じているオブジェクトが第２のユーザのうちの１人以上によってアクセスされたかまたはアクセスされているかを示すために、前記第１のユーザにウェブページとして表示された前記構造化ドキュメントを改変する工程であって、前記構造
化ドキュメントを改変する工程は、前記ソーシャル・ネットワーク・データ要素のうちの１以上を、前記オブジェクトの付近に表示することを含む、工程とを行うように動作可能である、システム。
【請求項９】
前記第２のユーザが特定された前記オブジェクトのいずれかにアクセスしたかまたはアクセスしているかを判定するために前記ソーシャルグラフにアクセスする工程は、前記ソーシャル・ネットワーキング・システムの前記第１のユーザの１組のユーザ設定で条件付けられる、
請求項８に記載のシステム。
【請求項１０】
前記構造化ドキュメントを改変する工程は、前記オブジェクトのうちの１以上を強調すること、色付けすること、あるいは太字にすることのうち１以上を含む、
請求項８に記載のシステム。
【請求項１１】
前記命令が実行されるとき前記プロセッサはさらに、
前記構造化ドキュメント内の前記オブジェクトおよび参照のうちの前記１以上との前記第１のユーザによる、検出された１以上のインタラクションに応答して、前記１以上のオブジェクトまたは参照から前記第１のユーザへの１以上のエッジ関係を表すデータを生成する工程と；
前記エッジ関係を表すデータを前記ソーシャル・ネットワーキング・システムに送信する工程と
を行うように動作可能である、
請求項８に記載のシステム。
【請求項１２】
前記オブジェクトの付近に表示された前記ソーシャル・ネットワーク・データ要素のうちの１以上は、特定された前記オブジェクトのうちの１以上から前記第２のユーザのうちの１以上へのエッジ関係を表すデータを含む、
請求項８に記載のシステム。
【請求項１３】
前記構造化ドキュメントを改変する工程は、前記クライアント計算装置において実行されているウェブブラウザによって、前記構造化ドキュメントの表現を改変することを含む、
請求項８に記載のシステム。
【請求項１４】
前記命令が実行されるとき前記プロセッサはさらに、
前記ソーシャル・ネットワーキング・システムから、１組以上の総インタラクション統計を取得するために、前記ソーシャル・ネットワーキング・システムのソーシャルグラフにアクセスする工程と、
前記総インタラクション統計のうちの１組以上を前記オブジェクトの付近に表示する工程と
を行うように動作可能である、
請求項８に記載のシステム。
【請求項１５】
ソフトウェアを具現化する１以上の非一時的なコンピュータ可読記憶媒体であって、
前記ソフトウェアが実行されると、
クライアント計算装置が、第１のユーザに表示された構造化ドキュメントに埋め込まれた１以上のオブジェクトまたは前記１以上のオブジェクトに対する参照を特定する工程であって、前記構造化ドキュメントはウェブページとして表示されるマークアップ言語ドキュメントであり、前記オブジェクトはソーシャル・ネットワーキング・システムの外部の１以上のソースから生じている、工程と；
前記第１のユーザとの関連付けを有する１人以上の第２のユーザが特定された前記オブジェクトのいずれかにアクセスしたかまたはアクセスしているかを判定するために、および、
前記ソーシャル・ネットワーキング・システムから、前記第２のユーザのうちの１人以上によって前記ソーシャル・ネットワーキング・システムに提供されるソーシャルネットワークプロフィール情報を含む１以上のソーシャル・ネットワーク・データ要素を取得するために、前記クライアント計算装置が、前記ソーシャル・ネットワーキング・システムのソーシャルグラフにアクセスする工程と；
クライアント計算装置が、前記オブジェクトのうちの少なくとも１つについて、前記構造化ドキュメントに埋め込まれ、かつ、前記ソーシャル・ネットワーキング・システムの外部の１以上のソースから生じているオブジェクトが第２のユーザのうちの１人以上によってアクセスされたかまたはアクセスされているかを示すために、前記第１のユーザにウェブページとして表示された前記構造化ドキュメントを改変する工程であって、前記構造化ドキュメントを改変する工程は、前記ソーシャル・ネットワーク・データ要素のうちの１以上を、前記オブジェクトの付近に表示することを含む、工程とが行われる媒体。
【請求項１６】
前記第２のユーザが特定された前記オブジェクトのいずれかにアクセスしたかまたはアクセスしているかを判定するために前記ソーシャルグラフにアクセスする工程は、前記ソーシャル・ネットワーキング・システムの前記第１のユーザの１組のユーザ設定で条件付けられる、
請求項１５に記載の媒体。
【請求項１７】
前記構造化ドキュメントを改変する工程は、前記オブジェクトのうちの１以上を強調すること、色付けすること、あるいは太字にすることのうちの１以上を含む、
請求項１５に記載の媒体。
【請求項１８】
前記ソフトウェアが実行されると、
前記構造化ドキュメント内の前記オブジェクトおよび参照のうちの前記１以上との前記第１のユーザによる、検出された１以上のインタラクションに応答して、前記オブジェクトまたは参照からエッジ関係を表すデータを生成する工程と；
前記エッジ関係を表すデータを前記ソーシャル・ネットワーキング・システムに送信する工程と
がさらに行われる、
請求項１５に記載の媒体。
【請求項１９】
前記オブジェクトの付近に表示された前記ソーシャル・ネットワーク・データ要素のうちの１以上は、特定された前記オブジェクトのうちの１以上から前記第２のユーザのうちの１以上へのエッジ関係を表すデータを含む、
請求項１５に記載の媒体。
【請求項２０】
前記ソフトウェアが実行されると、
前記ソーシャル・ネットワーキング・システムから、１組以上の総インタラクション統計を取得するために、前記ソーシャル・ネットワーキング・システムのソーシャルグラフにアクセスする工程と、
前記総インタラクション統計のうちの１組以上を前記オブジェクトの付近に表示する工程と
がさらに行われる、
請求項１５に記載の媒体。
【手続補正２】
【補正対象書類名】明細書
【補正対象項目名】００４５
【補正方法】変更
【補正の内容】
【００４５】
ステップ２１０に示すとおり、特定の実施形態は、第１のユーザに表示された構造化ドキュメントに埋め込まれた１以上のオブジェクトまたは１以上のオブジェクトに対する参照をクライアント装置で特定する。先述のとおり、構造化ドキュメント内のオブジェクトまたは参照など、ＨＴＭＬまたは他のマークアップ言語コンテンツを有する構造化ドキュメントがリクエストされると、そのドキュメントはページを処理するためにウェブブラウザによって受信され、ウェブブラウザがウェブページを表現および表示できるようになる。一般に、クライアント装置のアプリケーションおよび／またはウェブブラウザは、ウェブサイトの１以上のバックエンドサーバで提供された１以上のオブジェクトまたはリソースにアクセスする必要がある。特定の実施形態では、第１のユーザに表示されるオブジェクトまたは参照が特定される。
【手続補正３】
【補正対象書類名】図面
【補正対象項目名】図２
【補正方法】変更
【補正の内容】
【図２】
2014523558.tif 000001